(57)【要約】【課題】  遊技機の背面側のスペースを有効に利用可能、かつ、払い出し装置のメンテナンスが容易な遊技機の提供を課題とする。【解決手段】  本発明によれば、パチンコ遊技機１０の本体枠１２の前面側に払い出し装置１９を配設することにより、払い出し装置１９をパチンコ遊技機１０の背面側に配置しないようにすることができる。これにより、パチンコ遊技機１０の背面側のスペースを広く確保することができ、より多くの機構部材をパチンコ遊技機１０の背面側に配設することが可能となる。また、ガラス枠１３を回動させることにより、払い出し装置１９を開放させることができるため、払い出し装置１９の点検やメンテナンス等を容易に行うことができる。【選択図】  図７
2006095015.tif 000002
【特許請求の範囲】
【請求項１】
上部に備えられ外部装置から遊技球が供給される供給部と、本体枠の前面側に設けられた遊技領域と、上記本体枠の前面側において回動可能に枢支されるとともに所定の回動位置にて同本体枠に背面側を略密着させつつ窓穴から上記遊技領域を視認させる窓枠とを備える遊技機において、
上記遊技領域よりも前面側に備えられ、上記供給部から遊技球を案内する通路の少なくとも一部を構成する前面通路と、
上記窓枠の背面側が上記本体枠の前面側から離反するように同窓枠を回動させたときに開放され、かつ、同窓枠の背面側が同本体枠の前面側に略密着するように同窓枠を回動させたときに閉鎖される位置に配設され、上記供給部から上記前面通路に払い出し可能な払い出し装置とを具備することを特徴とする遊技機。
【発明の詳細な説明】
【技術分野】
【０００１】
本発明は、上部に外部装置から遊技球が供給される供給部を備える遊技機に関する。
【背景技術】
【０００２】
従来、この種の遊技機として、遊技機の背面側に遊技球の払い出し通路を形成したものが知られている。（例えば、特許文献１、図２、参照。）。
かかる構成によれば、払い出し通路中に払い出し装置が備えられるため、タンクに貯留された遊技球のうち指定された数量だけを払い出すことが可能であった。払い出された遊技球は前面側に案内されて、遊技に使用される。
【特許文献１】特開２００４−０７３７１９号公報
【発明の開示】
【発明が解決しようとする課題】
【０００３】
上述した従来の遊技機において、払い出し装置や払い出し通路を遊技機の背面側に備えることにより、遊技機の背面側における各基板等の設置スペースが限定されるという課題があった。また、払い出し装置が遊技機の背面側に備えられるため、払い出し装置のメンテナンスが困難であるという課題もあった。
本発明は、上記課題にかんがみてなされたもので、遊技機の背面側のスペースを有効に利用可能とし、払い出し装置のメンテナンスが容易な遊技機の提供を目的とする。
【課題を解決するための手段】
【０００４】
上記目的を達成するため、請求項１にかかる発明では、上部に備えられ外部装置から遊技球が供給される供給部と、本体枠の前面側に設けられた遊技領域と、上記本体枠の前面側において回動可能に枢支されるとともに所定の回動位置にて同本体枠に背面側を略密着させつつ窓穴から上記遊技領域を視認させる窓枠とを備える遊技機において、
上記遊技領域よりも前面側に備えられ、上記供給部から遊技球を案内する通路の少なくとも一部を構成する前面通路と、上記窓枠の背面側が上記本体枠の前面側から離反するように同窓枠を回動させたときに開放され、かつ、同窓枠の背面側が同本体枠の前面側に略密着するように同窓枠を回動させたときに閉鎖される位置に配設され、上記供給部から上記前面通路に払い出し可能な払い出し装置とを具備する構成としてある。
【０００５】
上記のように構成した請求項１の発明において、供給部が遊技機の上部に備えられ、同供給部に対して外部装置から遊技球が供給される。窓枠は上記本体枠に対して回動可能に連結される。そして、この窓枠を所定の位置に回動させることにより、上記遊技領域を窓穴から視認可能としつつ上記本体枠に前面側から略密着させることができる。上記供給部から遊技球を案内する通路が設けられることにより、上記供給部から遊技球を案内することができる。そして、この通路の少なくとも一部を構成する前面通路が上記本体枠の前面側に配設される。すなわち、上記供給部から遊技球を案内する通路のすべてが上記遊技機の背面側に備えられないため、同背面側のスペースを広く確保することができる。
【０００６】
所望の数量の遊技球を上記供給部から上記前面通路に払い出し可能な払い出し装置が備えられる。この払い出し装置は上記窓枠を回動させて同窓枠を上記本体枠から離反させたときに開放される位置に配設される。なおかつ、上記払い出し装置は、上記窓枠の背面側が上記本体枠の前面側に略密着するように同窓枠を回動させたときに閉鎖される位置に配設される。すなわち、上記窓枠の回動位置に応じて、上記払い出し装置を開放させたり閉鎖させたりすることができる。通常の遊技時においては、上記窓枠の背面側を上記本体枠の前面側に略密着させるように同窓枠を回動させて、上記払い出し装置を保護することができる。従って、上記払い出し装置に対する不正を防止することができる。一方、点検時等においては、上記窓枠の背面側を上記本体枠の前面側から離反させるように同窓枠を回動させて、上記払い出し装置を開放することができる。従って、上記払い出し装置のメンテナンス等を容易に行うことができる。また、上記払い出し装置を設置するスペースも上記遊技機の背面側に確保しておく必要がないため、同遊技機の背面側のスペースを有効に利用することができる。
本発明は、上記の構成に限られるものではなく、以下の手段も含むものである。
【０００７】
手段１
手段１にかかる発明は、請求項１に記載した発明において、上記払い出し装置は上記本体枠において前面側に露出するように配設される構成としてある。
すなわち、上記窓枠を回動させて上記本体枠の前面側から同窓枠の背面側を離反させることにより、同本体枠の前面側を開放することができる。従って、上記本体枠において前面側に露出するように配設された上記払い出し装置を開放することができる。
【０００８】
手段２
手段２にかかる発明は、請求項１に記載した発明において、上記払い出し装置は上記窓枠において背面側に露出するように配設される構成としてある。
すなわち、上記窓枠を回動させて同窓枠の背面側から上記本体枠の前面側を離反させることにより、同窓枠の背面側を開放することができる。従って、上記窓枠の背面側において背面側に露出するように備えられた上記払い出し装置を開放することができる。
【０００９】
手段３
手段３にかかる発明は、請求項１、または、手段１、または、手段２のいずれかに記載した発明において、上記供給部は上記遊技機の背面側に備えられるとともに、
上記供給部から上記前面通路に遊技球を案内する連絡通路が上記遊技機の前後を貫通して形成される構成としてある。
【００１０】
すなわち、上記遊技機を前後に貫通する連絡通路を形成することにより、上記遊技機の背面側に備えられた上記供給部から遊技球を上記前面通路まで案内することができる。上記遊技機の背面側に備えられる上記供給部として遊技球タンク等を適用することができる。上記遊技球タンクは大量の遊技球を一時的に貯留しておくことから、遊技者の手の届く位置に配設すると、遊技球が盗み取られるおそれがある。従って、上記遊技球タンクは遊技機の背面側に配設しておくことが望ましい。
【００１１】
手段４
手段４にかかる発明は、請求項１、または、手段１から手段３のいずれかに記載した発明において、上記払い出し装置は、上記本体枠に背面側が略密着するように上記窓枠を回動させたときに同窓枠によって目隠しされる構成としてある。
すなわち、上記本体枠に背面側が略密着するように上記窓枠を回動させたときに上記払い出し装置が同窓枠によって目隠しされる。このようにすることにより、上記本体枠に上記窓枠の背面側を略密着させ、通常の遊技機が行われる際に、遊技者から上記払い出し装置を隠しておくことができる。従って、上記払い出し装置に対する不正が防止できる。
【００１２】
手段５
手段５にかかる発明は、手段３または手段４のいずれかに記載した発明において、上記連絡通路を流下した遊技球が上記払い出し装置に案内されるように、同連絡通路と同払い出し装置とが接続される。
すなわち、遊技球を前面側に案内する上記連絡通路の下流に上記払い出し装置を接続することにより、上記供給部が上記本体枠の背面側に配設される場合であっても、同払い出し装置を上記本体枠の前面側または上記窓枠の背面側に取り付けることができる。
【００１３】
手段６
手段６にかかる発明は、手段１から手段５のいずれかに記載した発明において、上記窓枠の背面側が上記本体枠の前面側から離反するように上記窓枠を回動したとき、上記払い出し装置が上記窓枠とともに回動することにより、上記連絡通路と同払い出し装置との接続が解除される構成としてある。
すなわち、上記連絡通路と上記払い出し装置との接続が解除されるため、上記窓枠の背面側が上記本体枠の前面側から離反するように上記窓枠を回動させて、上記払い出し装置のメンテナンス等を行う際に、同払い出し装置に遊技球が供給されることが防止できる。従って、断続的に供給される遊技球によって阻害されることなく、上記払い出し装置のメンテナンスを行うことができる。上記払い出し装置を上記窓枠の背面側に配設することにより、同窓枠とともに同払い出し装置を回動させることができる。従って、上記連絡通路と上記払い出し装置とを相対移動させることができ、両者の接続を解除することができる。
【００１４】
手段７
手段７にかかる発明は、手段６に記載した発明において、上記窓枠の背面側が上記本体枠の前面側から離反するように上記窓枠を回動したとき、上記連絡通路における遊技球の流通を阻害するシャッターが備えられる構成としてある。
すなわち、上記窓枠の背面側が上記本体枠の前面側から離反するように上記窓枠が回動し、上記連絡通路と上記払い出し装置との接続が解除されたにも拘わらず、遊技球が同連絡通路を流下し、同連絡通路の終端から放出され、散らかることが防止できる。
【００１５】
手段８
手段８にかかる発明は、手段７に記載した発明において、上記シャッターを上記連絡通路にて遊技球が流通不可能となる回転位置に回動させるように付勢するバネが備えられる構成としてある。
すなわち、バネによって上記シャッターを上記連絡通路にて遊技球が流通不可能となる回転位置に回動させるように付勢しておくことにより、上記押圧部と上記シャッターとが干渉しない状態においては、確実に上記シャッターにて遊技球の流通を阻害することができる。
【００１６】
手段９
手段９にかかる発明は、請求項１、または、手段１から手段８のいずれかに記載の発明において、上記前面通路は上記本体枠の前面側に配設される構成としてある。
すなわち、上記前面通路を上記本体枠の前面側に配設してもよい。このようにすることにより、上記本体枠の前面側に配設された上記払い出し装置と上記前面通路との接続を容易に行うことができる。
【００１７】
手段１０
手段１０にかかる発明は、請求項１、または、手段１から手段８のいずれかに記載の発明において、上記前面通路は上記窓枠の背面側に配設される構成としてある。
すなわち、上記前面通路を上記窓枠の背面側に配設してもよい。このようにすることにより、上記窓枠の背面側に配設された上記払い出し装置と上記前面通路との接続を容易に行うことができる。また、上記払い出し装置と上記前面通路ともに上記窓枠に取り付けられているため、同窓枠が回動しても、両者の相対位置が変動することはない。従って、上記窓枠が回動しても上記払い出し装置と上記前面通路との接続を維持することができる。
【００１８】
手段１１
手段１１にかかる発明は、請求項１、または、手段１から手段１０のいずれかに記載した発明において、上記払い出し装置は、上記窓枠が回動する際の固定端側に備えられる構成としてある。
すなわち、上記払い出し装置を上記窓枠が回動する際の固定端側に配設することにより、同窓枠の自由端側から遠い位置に同払い出し装置を配設することができる。従って、上記窓枠を少し回動させて、同窓枠の自由端と上記本体枠との間に隙間を形成し、この隙間に手を入れて上記払い出し装置に不正を加えることを防止することができる。
【００１９】
手段１２
手段１２にかかる発明は、請求項１、または、手段１から手段１０のいずれかに記載した発明において、上記払い出し装置は、上記窓枠が回動する際の自由端側に備えられる構成としてある。
すなわち、上記払い出し装置を上記窓枠が回動する際の自由端側に備えることにより、同窓枠の自由端側から近い位置に同払い出し装置を配設することができる。従って、上記窓枠を少し回動させて、同窓枠の自由端と上記本体枠との間に隙間を形成し、この隙間に手を入れて上記払い出し装置のメンテナンスや検査等を行うことができる。すなわち、上記払い出し装置を上記窓枠の回動の自由端側に配設することによってメンテナンス性を重視することができ、固定端側に配設することよって不正防止性を重視することができる。
【００２０】
手段１３
手段１３にかかる発明は、請求項１、または、手段１から手段１２のいずれかに記載した発明において、上記払い出し装置は、上記窓枠の背面側が上記本体枠の前面側から離反するように上記窓枠を回動したときに停止させられる構成としてある。
すなわち、上記窓枠の背面側が上記本体枠の前面側から離反するように上記窓枠を回動したときに上記払い出し装置による遊技球の払い出しが停止される。これにより、上記払い出し装置が停止した状態で上記払い出し装置のメンテナンスを行うことができる。また、上記払い出し装置を上記本体枠の前面側に取り付け、上記前面通路を上記窓枠の背面側に取り付けた場合等には、同窓枠が回動することにより、同前面通路と同払い出し装置との相対位置が変動し、両者の接続が解除されることも考えられる。しかし、上記窓枠が回動した状態において上記払い出し装置が停止されるため、同前面通路と同払い出し装置との接続が解除されたにも拘わらず、同払い出し装置から遊技球が払い出されることを防止することができる。従って、上記払い出し装置から放出された遊技球が散らかることを防止することができる。
【００２１】
手段１４
手段１４にかかる発明は、手段１３に記載した発明において、上記払い出し装置の駆動を制御するスイッチが備えられるとともに、同スイッチは上記窓枠が回動することにより操作される構成としてある。
すなわち、上記窓枠の回動位置に応じて上記スイッチが操作される。従って、上記窓枠の背面側が上記本体枠の前面側から離反するように上記窓枠を回動したときに、上記払い出し装置を停止させることができる。
【００２２】
手段１５
手段１５にかかる発明は、請求項１、または、手段１から手段１４のいずれかに記載した発明において、上記払い出し装置は金属製の保護部材によって保護される構成としてある。
すなわち、上記払い出し装置を金属製の保護部材によって保護することにより、同払い出し装置に不正が加えられることが防止できる。
【００２３】
手段１６
手段１６にかかる発明は、請求項１、または、手段１から手段１５のいずれかに記載した発明において、上記窓枠は上記窓穴を塞ぐ透明板を保持する構成としてある。
すなわち、上記窓枠に上記窓穴を塞ぐ透明板が備えられるため、上記窓枠を所定の回動位置に回動させて、上記本体枠に略密着させたときには、上記遊技領域を前面側から閉鎖することができる。上記透明板はガラスや合成樹脂等の透明素材で形成されるため、上記遊技領域を前面側から閉鎖しつつ視認することができる。
【００２４】
手段１７
手段１７にかかる発明は、手段１６に記載した発明において、上記保護部材は上記窓枠にて透明板を保持するために備えられる透明板保持フレームである構成としてある。
すなわち、透明板を保持するために上記窓枠に備えられる透明板保持フレームによって上記払い出し装置を保護してもよい。この場合、本来、窓枠に備えられる上記透明板保持フレームを利用することができるため、部品コストが増加することもない。
【００２５】
手段１８
手段１８にかかる発明は、請求項１、または、手段１から手段１７のいずれかに記載した発明において、上記本体枠には前面側に上記遊技領域が形成される遊技盤が保持されるとともに、上記払い出し装置の設置スペースが同遊技盤を切り欠くことにより形成される構成としてある。
すなわち、上記本体枠に保持された遊技盤を切り欠くことにより、上記払い出し装置の設置スペースを確保することができる。上記払い出し装置は上記遊技領域の視認性を損なわないように同遊技領域の外側のわずかなスペースに設置されることが考えられるが、前面側に同遊技領域が形成される上記遊技盤を切り欠くことにより、同払い出し装置の設置スペースを同遊技領域側に拡大することができる。
【００２６】
手段１９
手段１９にかかる発明は、請求項１、または、手段１から手段１８のいずれかに記載した発明において、上記払い出し装置を上記窓枠または上記本体枠に固定する固定機構は、上記窓枠の背面側が上記本体枠の前面側から離反するように上記窓枠を回動させることにより露出される構成としてある。
すなわち、上記窓枠の背面側が上記本体枠の前面側から離反するように上記窓枠を回動させることにより、上記払い出し装置を上記窓枠または上記本体枠に固定する固定機構を露出させることができる。このとき、露出した上記固定機構に手を加えて上記払い出し装置の固定を解除することができる。
【００２７】
手段２０
手段２０にかかる発明は、請求項１、または、手段１から手段１９のいずれかに記載した発明において、上記払い出し装置に対して電気的な接続を行うコネクタは、上記窓枠の背面側が上記本体枠の前面側から離反するように上記窓枠を回動させることにより露出される構成としてある。
すなわち、上記窓枠の背面側が上記本体枠の前面側から離反するように上記窓枠を回動させることにより、上記払い出し装置に対して電気的な接続を行うコネクタを露出させることができる。このとき、露出した上記コネクタを取り外すことができる。
【００２８】
手段２１
手段２１にかかる発明は、請求項１、または、手段１から手段１７のいずれかに記載した発明において、上記遊技機は上記遊技領域にてドラムが回転させられるパチロットある構成としてある。
すなわち、本発明をパチロットにも適用することができる。なお、パチロットは、メダルの代わりに一定数のパチンコ球を使用して絵合わせを行うものでありパチンコ機とスロットマシンの両方の特徴を備えた遊技機である。このようなパチロットも、遊技球の払い出しが行われるため、本発明を適用することができる。
【発明の効果】
【００２９】
以上説明したように、請求項１にかかる発明によれば、遊技機の背面側のスペースを有効に利用可能とし、払い出し装置のメンテナンスが容易な遊技機を提供することができる。
手段１にかかる発明によれば、メンテナンスが容易となる払い出し装置の配設位置を提供することができる。
手段２にかかる発明によれば、メンテナンスが容易となる払い出し装置の配設位置を提供することができる。
手段３にかかる発明によれば、遊技球を背面側から前面側の前面通路に案内することができる。
手段４にかかる発明によれば、払い出し装置に対する不正が防止できる。
手段５にかかる発明によれば、遊技球を背面側から前面側の払い出し装置に案内することができる。
【００３０】
手段６にかかる発明によれば、払い出し装置のメンテナンスを容易に行うことができる。
手段７にかかる発明によれば、遊技球が散らかることが防止できる。
手段８にかかる発明によれば、遊技球の流出を確実に阻止することができる。
手段９にかかる発明によれば、遊技領域よりも前面側に前面通路を配設することができる。
【００３１】
手段１０にかかる発明によれば、遊技領域よりも前面側に前面通路を配設することができる。
手段１１にかかる発明によれば、払い出し装置に対する不正が防止できる。
手段１２にかかる発明によれば、払い出し装置のメンテナンスを容易に行うことができる。
手段１３にかかる発明によれば、遊技球が散らかることが防止できる。
【００３２】
手段１４にかかる発明によれば、簡易な構成で払い出し装置を停止させることができる。
手段１５にかかる発明によれば、払い出し装置に対する不正を防止することができる。
手段１６にかかる発明によれば、遊技領域を前面側から閉鎖することができる。
手段１７にかかる発明によれば、部品コストを低減させることができる。
手段１８にかかる発明によれば、払い出し装置の設置スペースを確保することができる。
手段１９にかかる発明によれば、遊技機の背面側に手を加えなくても払い出し装置を着脱させることができる。
手段２０にかかる発明によれば、遊技機の背面側に手を加えなくても払い出し装置に対する配線を行うことができる。
手段２１にかかる発明によれば、パチロットの背面側のスペースを有効に利用することができる。
【発明を実施するための最良の形態】
【００３３】
ここでは、下記の順序に従って本発明の実施形態について説明する。
（１）第一の実施形態：
（２）第二の実施形態：
（３）第三の実施形態：
（４）第四の実施形態：
（５）第五の実施形態：
（５）第六の実施形態：
（６）まとめ：
【００３４】
（１）第一の実施形態：
図１は、本発明の第一の実施形態にかかるパチンコ遊技機を斜めから見て示している。同図において、パチンコ遊技機１０は木材で矩形枠状に形成された外枠１１を有しており、同外枠１１を固定することによりホール等に正立した状態で設置される。外枠１１の内側には合成樹脂等で形成された矩形枠状の本体枠１２が嵌め込まれている。本体枠１２の前面側には、同本体枠１２と回動可能な窓枠としてのガラス枠１３が枢支されている。ガラス枠１３は中央部に窓穴１３ｄを有しており、同開口から透明板としてのガラス１３ａが露出するように保持されている。
【００３５】
ガラス１３ａは透視可能であり、ガラス１３ａの内側を視認することが可能となっている。本体枠１２は矩形開口を有しており、同矩形開口にて矩形板状の遊技盤２４が保持されている。そして、前面側からガラス１３ａを透視することにより、その内側に保持された遊技盤２４の様子を視認することが可能となっている。遊技盤２４の前面には略円環状の遊技レールが立設されており、同遊技レールおよびガラス枠１３に囲まれた遊技領域２５にて遊技球を流通させて遊技を行う。ガラス枠１３の下方には上皿１４が前面に向かって突設されており、さらにその下方には下皿１５が前面に向かって突設されている。上皿１４および下皿１５は所定の深みを有する皿状に形成されているため、遊技球を貯留しておくことができる。
【００３６】
下皿１５の側方には半球状の発射ハンドル１６が回動可能に突設されており、同発射ハンドル１６の回動量に応じて遊技球の発射を行うことが可能となっている。発射ハンドル１６が備えられた部位の内部には発射機構１６ａが備えられている。発射機構１６ａは、遊技領域２５まで遊技球を案内するレールと、発射ハンドル１６の回動量に応じて動作する発射槌を有している。また、上皿１４と発射機構１６ａとは図示しない通路により連通しており、上皿１４に貯留された遊技球を発射槌に供給することが可能となっている。そして、供給された遊技球を発射槌が弾くことにより、遊技球が付勢され、遊技領域２５に発射される。
【００３７】
図２は、パチンコ遊技機１０を背面側から見て示している。同図において、パチンコ遊技機１０の背面側には略板状の機構板１７が枢支されており、本体枠１２に保持されている遊技盤２４は同機構板１７によって背面側から覆われている。機構板１７には保護カバー２２が取り付けられており、同保護カバー２２に背面側から覆われるように液晶ユニット２１や制御ボックス２３が配設されている。液晶ユニット２１は遊技領域の中央部に表示面を露出させる液晶パネルを駆動するための装置であり、遊技盤２４を貫通するように取り付けられている。制御ボックス２３はパチンコ遊技機１０の主要な動作を制御する制御基板を収容する基板ボックスであり、内部の制御基板を強固に封止している。
【００３８】
パチンコ遊技機１０の背面側の上部には遊技球が貯留可能なタンク１８が備えられている、タンク１８は幅方向に長い皿状に形成されており、上方に開口している。タンク１８は本発明にいう供給部に相当し、同タンク１８はホール等に設置される遊技球供給装置から遊技球の供給を受ける。タンク１８を遊技機における上方部分に備えておくことにより、遊技球が重力に引かれて流下する勢いを利用して、遊技球を流通させることができる。タンク１８の底面は紙面右方が低くなるように形成されており、タンク１８内を流下する遊技球は紙面右方向に流通する。タンク１８の底面の紙面右方端部には穴が形成されており、同穴からタンクレール１８ａに遊技球が落下する。タンクレール１８ａは紙面右側が低くなるように傾斜しており、タンクレール１８ａに落下した遊技球は紙面右側に流下する。さらに、タンクレール１８ａの紙面右側端部の下方に備えられたガイド部材２０の内部に落下する。
【００３９】
図３は、遊技球の通路を模式的に示している。同図において、ガイド部材２０は内部に略Ｌ字状の通路２０ａを有しており、通路２０ａの底面は前方になるほど低くなるように傾斜している。通路２０ａの前方端部は開口しており、底面を伝って流下する遊技球を前方に排出することが可能となっている。また、通路２０ａの前方端部の開口は、機構板１７を前後に貫通するように形成された機構板通路１７ａの後端と接続されている。従って、ガイド部材２０から排出された遊技球は、機構板通路１７ａに導入される。機構板通路１７ａの底面も前方になるほど低くなるように傾斜しているため、機構板通路１７ａに導入された遊技球はさらに前方に流下する。
【００４０】
機構板１７は本体枠１２に対して回動可能に枢支されているが、機構板１７と本体枠１２とが平行となるように機構板１７を回動させることにより、機構板１７と本体枠１２（あるいは、本体枠１２に保持された遊技盤２４。）とが略密着する。このとき、機構板通路１７ａの前端も本体枠１２に背面側から接触し、同本体枠１２を前後に貫通するように形成された収容部１２ａの後端と接続する。
【００４１】
収容部１２ａの内部には、払い出し装置１９が収容されており、払い出し装置１９の内部にも遊技球の通路が形成されている。払い出し装置１９における遊技球の通路は、上方の待機通路１９ｂと下方の送出通路１９ｆとから構成されており、待機通路１９ｂおよび送出通路１９ｆともに前方になるほど低くなるように傾斜している。従って、払い出し装置１９の内部において、遊技球を前方に案内することが可能となっている。なお、払い出し装置１９の詳細については後述する。
【００４２】
本体枠１２の前面側に備えられるガラス枠１３には、前面通路３０が備えられている。ガラス枠１３は本体枠１２に対して回動可能に枢支されているが、遊技領域を前面側から閉鎖させるようにガラス枠１３を回動させたときには、ガラス枠１３と本体枠１２（あるいは、本体枠１２に保持された遊技盤２４。）とを平行に略密着させることができる。このとき、送出通路１９ｆの前端と、前面通路３０の入口３２とが接続する。従って、収容部１２ａの内部を流下し前面側に排出された遊技球は前面通路３０に案内されることとなる。前面通路３０は通路方向がほぼ鉛直に形成されており、同前面通路３０に案内された遊技球は自由落下しながら下方に進行する。なお、ガラス枠１３の背面側にはガラス保持フレーム２６が取り付けられるが、ガラス保持フレーム２６における前面通路３０と収容部１２ａとが接続する部位には穴２６ｂ１が形成されているため、収容部１２ａから前面通路３０に遊技球を案内することができる。
【００４３】
このようにパチンコ遊技機１０を構成する各部材の前後を貫通する機構板通路１７ａと収容部１２ａと形成し、これらを連通する経路を形成することにより、パチンコ遊技機１０を前後に貫通する連絡通路Ａを形成することができる。この連絡通路Ａによれば遊技球を背面側から前面側に流通させることができるため、遊技領域２５よりも遊技球を前面側に供給することができる。なお、連絡通路Ａは遊技盤２４を貫通して形成するようにしてもよい。本体枠１２は遊技盤２４の外側を枠状に囲んで保持しているため、連絡通路Ａを遊技盤２４の外側に形成すれば連絡通路Ａは本体枠１２を貫通することとなるし、連絡通路Ａを遊技盤２４の内側に形成すれば連絡通路Ａは遊技盤２４を貫通することとなる。
【００４４】
図４および図５は、払い出し装置１９の正面および側面を示している。両図において、払い出し装置１９は略矩形状の筐体１９ａおよび押圧式スイッチ１９ｅを有し、その内部に破線で示す待機通路１９ｂと回転カム１９ｃと送出通路１９ｆとモータ１９ｄとを備えている。待機通路１９ｂは、機構板通路１７ａの終端と接続することにより、機構板通路１７ａから遊技球の供給を受ける。回転カム１９ｃはモータ１９ｄに接続されており、紙面に垂直な軸を回転軸として回転することが可能となっている。モータ１９ｄは制御基板等から供給される制御信号に応じて回転数を変動させることが可能であり、本体枠１２の背面側に備えられた電源から電力の供給を受けている。
【００４５】
押圧式スイッチ１９ｅは押圧部１９ｅ１を奥方に押し込むことにより、バネ接点が接続するスイッチであり、モータ１９ｄと上記電源との接続の有無を切り換えることが可能となっている。すなわち、押圧部１９ｅ１を奥方に押し込まれていない状態においては、モータ１９ｄと上記電源との接続が遮断され、モータ１９ｄの回転数は０となる。一方、押圧部１９ｅ１を奥方に押し込んだ状態においては、モータ１９ｄと上記電源とが接続され、モータ１９ｄの回転数が制御信号に応じたものとなる。
【００４６】
一対の凹部１９ｃ１，１９ｃ１が回転カム１９ｃに形成されており、それぞれ遊技球が約半分入り込むことが可能な形状となっている。凹部１９ｃ１，１９ｃ１は、回転カム１９ｃが０．５回転する毎に上方に配向するとともに、待機通路１９ｂにおいて最も下方に位置する遊技球を凹みに入り込ませることが可能となっている。凹部１９ｃ１，１９ｃ１に遊技球が入り込んだ状態において回転カム１９ｃが時計回りに回転すると、凹部１９ｃ１，１９ｃ１に入り込んだ遊技球が、凹部１９ｃ１，１９ｃ１に入り込んだまま回転移動させられる。そして、回転カム１９ｃが所定角度回転したところで、送出通路１９ｆに凹部１９ｃ１，１９ｃ１に入り込んだ遊技球を落下させることが可能となっている。すなわち、払い出し装置１９は回転カム１９ｃが０．５回転する毎に遊技球を１球ずつ待機通路１９ｂから送出通路１９ｆに移送することが可能となっている。このように、回転カム１９ｃの回転数を制御することにより、払い出し装置１９から払い出される遊技球の数量を制御することができる。
【００４７】
例えば、大当たりが出た場合等には回転カム１９ｃを高速に回転させるようにＣＰＵ等が制御信号を生成する。逆に、賞球がない場合には、回転カム１９ｃを停止させるようにＣＰＵ等が制御信号を生成する送出通路１９ｆに移送された遊技球は送出通路１９ｆに沿って流下する。さらに、送出通路１９ｆの下端１９ｆ１は前面通路３０の入口３２と接続するため、回転カム１９ｃの回転に応じた数量の遊技球を前面通路３０にて流下させることが可能となっている。
【００４８】
図６は、収容部１２ａを斜めから見て示している。同図において、遊技盤２４を枠状に取り囲む本体枠１２に穴を形成することにより収容部１２ａが設けられている。上述したとおり、収容部１２ａは本体枠１２を前後に貫通している。払い出し装置１９は収容部１２ａよりもわずかに外形が小さく形成されており、収容部１２ａに嵌め込んでネジ止め等により固定することが可能となっている。払い出し装置１９の収容部１２ａに対する挿入方向は、送出通路１９ｆの下端１９ｆ１が前面側に配向する方向とされている。このようにすることにより、遊技球を払い出し装置１９から前面側に向かって払い出すことができる。
【００４９】
また、この方向に払い出し装置１９を取り付けることにより回転カム１９ｃによる遊技球の移送方向を前面側に向かう方向とすることができるため、無駄の少ない経路で遊技球を前面側に案内することができる。さらに、払い出し装置１９の押圧式スイッチ１９ｅも前面側に配向させることができる。従って、押圧式スイッチ１９ｅを背面側に向かって押し込むことにより、払い出し装置１９を駆動可能な状態とすることができる。なお、払い出し装置１９を収容部１２ａに取り付けると、払い出し装置１９と本体枠１２の前面側が同一面上に位置し、払い出し装置１９が前面側に露出させられる。
【００５０】
図７はパチンコ遊技機１０を斜めから見て示し、図８はガラス枠１３を背面側から見て示している。図７において、ガラス枠１３は図１に示した状態から回動されており、遊技領域２５は前面側に開放されている。本体枠１２は略矩形状の矩形開口１２ｂを有しており、同矩形開口１２ｂから矩形板状の遊技盤２４が前面側に露出させられている。遊技盤２４の前面側に略円環状の遊技レール２５ａを突設することにより、遊技盤２４の前面側にて遊技領域２５の内外を区画している。遊技領域２５の内側には液晶表示装置２５ｂや風車２５ｃ等が配設されている。遊技盤２４は本体枠１２よりやや奥方にて保持されているため、遊技領域２５は本体枠１２の中央部において奥方に凹んだ位置に形成されることとなる。
【００５１】
図７のように、ガラス枠１３を本体枠１２から離反させるように回動させると、本体枠１２の前面側およびガラス枠１３の背面側がそれぞれ開放される。そして、本体枠１２の前面側が視認可能となるため、収容部１２ａに取り付けられた払い出し装置１９を前面側に開放させることができる。従って、払い出し装置１９を視認することも可能となり、払い出し装置１９のメンテナンス等を容易に行うことができる。なお、払い出し装置１９の収容部１２ａに対する固定を簡単に解除することができるようにしてもよい。このようにすることにより、払い出し装置１９を収容部１２ａから容易に取り外して、メンテナンスを行うことができる。例えば、払い出し装置１９を収容部１２ａにネジ止めする場合には、ネジの頭部を本体枠１２の前面側に露出させておけば、容易に払い出し装置１９を収容部１２ａから容易に取り外すことができる。
【００５２】
一方、図１に示すように遊技領域２５が閉鎖するようにガラス枠１３を回動させたときには、ガラス枠１３における窓穴１３ｄの外側の裏側に払い出し装置１９が位置するため、払い出し装置１９が視認不能となる。すなわち、払い出し装置１９をガラス枠１３によって目隠しすることができるため、遊技機の稼働時において払い出し装置１９に不正が加えられることが防止できる。さらに、遊技領域２５が閉鎖するようにガラス枠１３を回動させたときには、払い出し装置１９がガラス枠１３における金属製のガラス保持フレーム２６の裏側に位置するため、ガラス保持フレーム２６にて払い出し装置１９を保護することができ、払い出し装置１９に不正が加えられることが防止できる。なお、ガラス保持フレーム２６は本発明にいう保護部材に相当する。
【００５３】
ガラス枠１３は略板状に形成されており、中央部に窓穴１３ｄを備えている。ガラス枠１３の左辺（正面視）には上下一対の回動ヒンジ１３ｅ１，１３ｅ２が設けられており、これらを貫通する鉛直な回動軸にて回動することが可能となっている。一方、本体枠１２におけるガラス枠１３の回動自由端を待ち受ける部位には図１に示すように施錠機構１２ｃが形成されており、同施錠機構１２ｃにてガラス枠１３の回動自由端を固定することが可能となっている。従って、ガラス枠１３を回動させて遊技領域２５を前面側から略閉鎖したときには、施錠機構１２ｃによってガラス枠１３の回動自由端を固定することができ、不正に遊技領域２５が開放されることを防止することが可能となっている。
【００５４】
ガラス枠１３の背面側には、略コの字状に形成されたガラス保持フレーム２６が取り付け面２６ｂにてネジ止め固定されている。ガラス保持フレーム２６は、窓穴１３ｄの両側方および下方を囲むように略コの字状に形成されており、内側部分が背面側に突出するように屈曲されている。そして、屈曲された部位の先端には断面略コの字状のガラス保持レール２６ａが形成されている。ガラス保持レール２６ａは内側にガラス１３ａを挟んで保持することが可能であり、ガラス１３ａはガラス枠１３から背面側に突出した位置にて保持されている。このように、ガラス１３ａをガラス枠１３から背面側に突出して保持することにより、ガラス枠１３にて遊技領域２５を閉鎖する際には、奥方（背面側方向）に凹んだ位置に形成された遊技領域２５の遊技レール２５ａ等にガラス１３ａを密着させることができる。
【００５５】
取り付け面２６ｂにおける回動ヒンジ１３ｅ１，１３ｅ２が設けられる側の上部には穴２６ｂ１が形成されている。さらに、穴２６ｂ１の近傍には背面側に突出する突起部２６ｂ２が形成されている。遊技領域２５が閉鎖するようにガラス枠１３を回動させると、図３のように払い出し装置１９の前面側と本体枠１２の前面側とで形成される同一面に対してガラス枠１３の取り付け面２６ｂが密着する。そして、本体枠１２における穴２６ｂ１の回動を待ち受ける部位には払い出し装置１９における送出通路１９ｆの下端１９ｆ１が位置しており、突起部２６ｂ２の回動を待ち受ける部位には払い出し装置１９における押圧式スイッチ１９ｅが位置している。
【００５６】
従って、遊技領域２５が前面側から略閉鎖されるようにガラス枠１３を回動させたとき、穴２６ｂ１と送出通路１９ｆの下端１９ｆ１が前後に重なり、払い出し装置１９から払い出した遊技球をガラス枠１３に備えられた前面通路３０に案内することができる。さらに、取り付け面２６ｂから背面側に突設された突起部２６ｂ２が払い出し装置１９の押圧式スイッチ１９ｅを押し込んで、押圧式スイッチ１９ｅに電源が供給される。このようにすることにより、遊技領域２５が前面側から略閉鎖されるようにガラス枠１３を回動させたときを除いては、押圧式スイッチ１９ｅが駆動させないようにすることができる。すなわち、遊技領域２５が前面側に開放するようにガラス枠１３が回動するときには、送出通路１９ｆと前面通路３０とが離反し相互に接続されなくなるが、押圧式スイッチ１９ｅにより払い出し装置１９から下流に遊技球が払い出されることが防止されるため、払い出された遊技球が送出通路１９ｆの下端１９ｆ１から放出されることが防止できる。
【００５７】
図９は、ガラス枠１３を斜めから見て示している。同図において、窓穴１３ｄの左側に切り欠き１３ｆが軸方向を上下方向に配向させた溝状となるように形成されている。切り欠き１３ｆが形成された部位においては、ガラス枠１３の背面側に取り付けられた、ガラス保持フレーム２６の取り付け面２６ｂが前面側に露出されている。この露出した取り付け面２６ｂには円形の固定穴２６ｂ２，２６ｂ２，２６ｂ２が貫通している。同様に、切り欠き１３ｆにおける最上部にも取り付け面２６ｂを貫通する穴２６ｂ１が形成されている。
【００５８】
図１０は、前面通路３０を斜めから見て示している。前面通路３０は長尺棒状に形成された独立部材であり、内部が中空状となっている。また、前面通路３０は透明な合成樹脂で成型されており、内部を視認することが可能となっている。前面通路３０の上部には同前面通路３０の内部と外部とを連通させる入口３２が形成されており、前面通路３０の上部の下端にも同前面通路３０の内部と外部とを連通させる出口３３が形成されている。このようにすることにより、入口３２から導入された遊技球を出口３３から排出することができる。また、前面通路３０における入口３２が形成された面には３個の係合爪３１，３１，３１が突設されている。なお、同図においては前面通路３０をガラス枠１３から取り外した状態を示している。
【００５９】
図１１は、前面通路３０をガラス枠１３に取り付けた状態を正面から見て示している。同図において、ガラス枠１３の切り欠き１３ｆに前面通路３０が嵌め込むことにより、前面通路３０をガラス枠１３に埋設している。このとき、図５に示すように取り付け面２６ｂに形成された固定穴２６ｂ２，２６ｂ２，２６ｂ２に前面通路３０から突設された係合爪３１，３１，３１がそれぞれ貫通して係合する。従って、前面通路３０をガラス枠１３に対して固定することができる。また、前面通路３０をガラス枠１３に取り付けると、前面通路３０の入口３２と取り付け面２６ｂの穴２６ｂ１とが前後に重なることとなる。従って、図３に示すように収容部１２ａを流通する遊技球を、穴２６ｂ１および入口３２を経由して前面通路３０に案内することができる。
【００６０】
前面通路３０に案内された遊技球は前面通路３０の内部をほぼ自由落下しながら下端の出口３３に到達する。前面通路３０は透明に形成され、前面側に露出するように取り付けられているため、遊技者は上記のように流下する遊技球の様子を視認することができる。従って、遊技者はどれだけの遊技球が賞球として払い出されたかを実感することができる。また、略鉛直に流下する遊技球の様子を遊技者に見せることにより、パチンコ遊技機１０の装飾性や趣向性も向上させることができる。
【００６１】
前面通路３０は独立した部材として形成されているため、再び取り外すことも可能である。前面通路３０を取り外すことにより、前面通路３０の清掃、洗浄を容易に行うことが可能となる。上述したとおり、前面通路３０の内部は、遊技者の目にさらされ、大量の遊技球が接触して汚れやすいことから、前面通路３０の清掃を頻繁に行う必要がある。従って、前面通路３０を着脱可能としておくことが望ましい。むろん、前面通路３０が摩耗したり、洗浄が不能な程度に汚れたりした場合には、前面通路３０を新たなものに換装することも可能である。また、前面通路３０の消耗する度に、ガラス枠１３全体を交換しなくても済む。
【００６２】
前面通路３０を取り外すにあたっては、予め図７のように遊技領域２５が前面側に開放するようにガラス枠１３を回動させておいてから係合爪３１，３１，３１の係合を解除すればよい。一方、遊技領域２５が閉鎖するようにガラス枠１３が回動させられた状態においては、ガラス枠１３の背面側に位置する係合爪３１，３１，３１に操作を加えることが不可能となる。従って、遊技領域２５を閉鎖して遊技を行う際に、前面通路３０が取り外されることを防止することができる。また、ガラス枠１３は施錠機構１２ｃによって強固に固定されているため、不正にガラス枠１３を開放させてから前面通路３０を取り外すことは不可能となっている。
【００６３】
さらに、係合爪３１，３１，３１はガラス枠１３の回動固定端側に位置しているため、ガラス枠１３を少し回動させたときに形成されるガラス枠１３の自由端側と本体枠１２との隙間に手を入れて係合爪３１，３１，３１を操作しようとしても手が届かない。すなわち、仮に施錠機構１２ｃの施錠が解除できたとしても、ガラス枠１３をほぼ全開させない限り、係合爪３１，３１，３１を操作することは不可能である。従って、他の者に気づかれることなく、不正に前面通路３０を取り外すことは不可能となる。一方、払い出し装置１９についてもガラス枠１３の回動固定端側に位置しているため、ガラス枠１３を少し回動させて不正を加えることが不可能となっている。前面通路３０に案内された遊技球は出口３３から下方に向かって排出される。
【００６４】
図１２は、出口３３から排出された遊技球が流通する通路を示している。同図において、遊技領域２５が閉鎖するようにガラス枠１３を回動させたときに出口３３に対向可能な開口４１を本体枠１２に形成している。一方、上皿１４の内部に遊技球を排出可能な上皿出口４２が設けられており、開口４１と上皿出口４２とを連通させる案内通路４０が上皿１４の裏側に埋設されている。従って、前面通路３０の出口から排出された遊技球を上皿１４の内部に案内することができる。上皿１４に案内された遊技球は一時的に上皿１４に貯留され発射機構１６ａに導かれるため、前面通路３０を流通した遊技球を遊技に使用することが可能となる。
【００６５】
このように、案内通路４０を上皿１４の裏側といったパチンコ遊技機１０の内部に埋設することにより、最短距離で遊技球を上皿１４に案内することができるとともに、パチンコ遊技機１０をコンパクトに形成することができる。なお、上皿１４は本体枠１２に対して回動可能に取り付けられる上皿扉に設けられる場合がある。この場合、本体枠１２側に案内通路４０を埋設してもよいし、上皿扉側に案内通路４０を埋設するようにしてもよい。さらに、上皿扉がガラス枠１３と一体的に形成される場合には、ガラス枠１３に埋設された前面通路３０をそのまま下方に延設し、同案内通路３０の下端を上皿１４まで到達させるようにしてもよい。
【００６６】
さらに、本体枠１２の内部にはオーバーフロー通路４３が埋設されており、オーバーフロー通路４３は上皿出口４２の直前にて案内通路４０から分岐させられている。オーバーフロー通路４３の終端には下皿出口４４が形成されており、オーバーフロー通路４３を流通する遊技球を下皿１５に排出することが可能となっている。案内通路４０を流通する遊技球は原則的に上皿出口４２に案内されるが、上皿出口４２の付近に遊技球が充填されている場合には、上皿出口４２に遊技球が流下することが充填された遊技球によって妨げられる。そして、行き場を失った遊技球がオーバーフロー通路４３に流れ込むことが可能となっている。すなわち、上皿１４に貯留された遊技球が満杯状態のときのみ遊技球を下皿１５に排出することが可能となっている。
【００６７】
本実施形態において、パチンコ遊技機１０のガラス枠１３に前面通路３０を埋設するとともに、本体枠１２に払い出し装置１９を埋設することにより、払い出し通路と払い出し装置１９をパチンコ遊技機１０の背面側に形成しないようにすることができる。これにより、パチンコ遊技機１０の背面側のスペースを広く確保することができ、より多くの機構部材をパチンコ遊技機１０の背面側に配設することが可能となる。例えば、遊技領域の中央に配置される液晶表示ユニットを大型化するようなことも可能である。さらに、払い出し装置１９は本体枠１２の前面側に露出するように備えられているため、遊技領域２５が開放するようにガラス枠１３を回動させて、払い出し装置１９の点検やメンテナンス等を行うことができる。なお、遊技領域２５の視認性を妨げないように、前面通路３０を遊技領域２５の外側に設けておくことが望ましい。また、前面通路３０および案内通路４０およびオーバーフロー通路４３をパチンコ遊技機１０に埋設しているため、これらの通路によってパチンコ遊技機１０がかさばるようなこともない。
【００６８】
（２）第二の実施形態：
図１３は、第二の実施形態にかかるパチンコ遊技機の要部を斜めから見て示している。同図において、本体枠１１２とガラス枠１１３とが離反するようにガラス枠１１３を回動させた状態の本体枠１１２とガラス枠１１３との連結部位を示しており、前実施形態と同様に本体枠１１２に貫通穴を形成することにより収容部１１２ａが設けられている。ただし、収容部１１２ａには払い出し装置１１９が取り付けられておらず、払い出し装置１１９はガラス枠１１３の背面側に取り付けられている。払い出し装置１１９は前実施形態とほぼ同様の構成とされているが、待機通路１１９ｂの開口の上部から背面側に向かって水平板状の押圧部１１９ｇが突設されている。
【００６９】
本体枠１１２とガラス枠１１３とが離反するようにガラス枠１１３を回動させた状態においては、ガラス枠１１３の背面側を開放的にすることができるため、払い出し装置１１９を視認し、点検やメンテナンス等を行うことができる。本実施形態においては、ガラス枠１１３が回動することにより、払い出し装置１１９を収容部１１２ａから脱出させて、全体を視認することができるため、メンテナンス性がよい。ただし、必ずしも払い出し装置１１９の全体をガラス枠１１３の背面側に露出させる必要はなく、払い出し装置１１９をガラス枠１１３に埋設させてもよい。一方、本体枠１１２とガラス枠１１３とが略密着するようにガラス枠１１３を回動させた状態においては、払い出し装置１１９はガラス枠１１３とともに回動し、収容部１１２ａの内部に収容される。従って、前実施形態と同様に通常の遊技時において払い出し装置１１９を外部からの不正から保護することができる。
【００７０】
図１４は、本体枠１１２とガラス枠１１３とが略密着するようにガラス枠１１３を回動させ、払い出し装置１１９が収容部１１２ａの内部に収容されるときの各通路の状態を示している。同図において、図３に示した前実施形態とほぼ同様の態様となっている。ただし、払い出し装置１１９が本体枠１１２に固定されておらずガラス枠１１３とともに回動する点、および、本体枠１１２とガラス枠１１３とが略密着するようにガラス枠１１３を回動させることにより払い出し装置１１９の待機通路１１９ｂと機構板通路１１７ａとが接続する点で前実施形態と相違する。
【００７１】
また、本実施形態においては前面通路１３０および払い出し装置１１９がともにガラス枠１１３に伴って回動するため、ガラス枠１１３を回動させても前面通路１３０と払い出し装置１１９とが相対移動することはない。従って、ガラス枠１１３を回動させても前面通路１３０と払い出し装置１１９との接続を常に維持することができる。
【００７２】
図１５は、機構板通路１１７ａの前面側端部を斜めから見て示している。同図において、機構板通路１１７ａの前面側端部にシャッター１６０が取り付けられている。シャッター１６０は機構板通路１１７ａの断面とほぼ同じ外形を有する略板状に形成されており、幅方向外側に突出する一対の円柱状の軸突起１６１，１６１を備えている。機構板通路１１７ａの内壁面には軸突起１６１，１６１をそれぞれ軸受けするための凹部が形成されており、同凹部に軸突起１６１，１６１をそれぞれ軸受けすることによりシャッター１６０が回動可能に枢支されている。軸突起１６１，１６１は水平方向の回動軸を構成し、シャッター１６０は水平な回動軸を中心として回動することが可能となっている。
【００７３】
軸突起１６１，１６１はシャッター１６０の上端からやや低い位置に形成されており、一方の軸突起１６１にはバネ１６３が取り付けられている。バネ１６３はコイル状のトーションバネであり、同コイル部分の内側を軸突起１６１が挿通している。バネ１６３の一端はシャッター１６０に固定されており、もう一端が機構板通路１１７ａの内壁面に固定されている。図のように、機構板通路１１７ａの終端開口がシャッター１６０に塞がれるとき、バネ１６３の両端は直交し本来の形状となる。従って、バネ１６３の両端が交差する角度を広げたり、狭めたりすることにより、バネ１６３に付勢力を蓄積させることができる。すなわち、バネ１６３によって、シャッター１６０は機構板通路１１７ａの終端開口を塞ぐように付勢されている。
【００７４】
一方、上述したとおり払い出し装置１１９における待機通路１１９ｂの開口の上部から背面側に向かって水平板状の押圧部１１９ｇが突設されている。図１４に示すように、本体枠１１２とガラス枠１１３とが略密着し、遊技領域が閉鎖するようにガラス枠１１３を回動させたとき、押圧部１１９ｇは、機構板通路１１７ａの内部に侵入し、シャッター１６０における軸突起１６１，１６１が形成された位置よりも高い位置に干渉することが可能となっている。従って、遊技領域が閉鎖するようにガラス枠１１３を回動させると、シャッター１６０における軸突起１６１，１６１が形成された位置よりも高い部位が背面側に押し込まれ、シャッター１６０を回動させることができる。シャッター１６０が回動することにより、シャッター１６０は待機通路１１９ｂの内部に侵入しつつ、跳ね上げられる。これにより、機構板通路１１７ａの終端開口が前面側に開放されるため、機構板通路１１７ａを前面側に流下する遊技球を払い出し装置１１９の待機通路１１９ｂに案内することができる。
【００７５】
すなわち、遊技領域１２５が閉鎖するようにガラス枠１１３を回動させ、通常の遊技を行うとき、同待機通路１１９ｂまで遊技球を案内することができる。これに対して、本体枠１１２とガラス枠１１３とが離反し、遊技領域１２５が開放するようにガラス枠１１３を回動させたとき、シャッター１６０と押圧部１１９ｇとの干渉がなくなるため、バネ１６３の付勢力によってシャッター１６０が回動し機構板通路１１７ａの終端開口を閉鎖する。すなわち、遊技領域１２５が開放するようにガラス枠１１３を回動させたときには、遊技球がタンクから供給されないようにすることができる。従って、払い出し装置１１９の待機通路１１９ｂと機構板通路１１７ａとが接続していないにもかかわらず、遊技球が機構板通路１１７ａの終端開口から放出されることを防止することができ、遊技球が散らかることを防止することができる。むろん、払い出し装置１１９の待機通路１１９ｂと機構板通路１１７ａとが接続していないため、メンテナンス等をしようとしている払い出し装置１１９に遊技球が供給されることもない。すなわち、払い出し装置１１９メンテナンス等を行うために予め球抜きを行う必要がない。
【００７６】
また、遊技領域１２５が閉鎖するようにガラス枠１１３が回動されている状態であっても、本体枠１１２から機構板１１７を離反させると、押圧部１１９ｇが機構板通路１１７ａに侵入しなくなり、シャッター１６０と押圧部１１９ｇとの干渉がなくなる。従って、この場合もバネ１６３の付勢力によってシャッター１６０が回動し機構板通路１１７ａの終端開口を閉鎖することができる。従って、機構板１１７を回動させてパチンコ遊技機１１０の背面側に備えられた各種機構部材のメンテナンス等をする場合にも、遊技球が機構板通路１１７ａの終端開口から放出されることを防止することができ、遊技球が散らかることを防止することができる。
【００７７】
図１６は、収容部１１２ａの水平断面を示している。同図において、収容部１１２ａを形成するにあたり、遊技盤１２４の端部に切り欠き１２４ｅを形成している。なお、同図において、ガラス枠１１３は本体枠１１２から取り外されている。このようにすることにより、収容部１１２ａを大きく形成することができる。なお、収容部１１２ａは払い出し装置１１９が回動する際の軌道を考慮して、幅方向に大きめに形成しておく必要がある。切り欠き１２４ｅの分だけ遊技盤１２４において遊技領域１２５が形成可能なスペースが減少するが、収容部１１２ａを遊技盤１２４における高い位置に形成することにより、略円形状の遊技領域１２５と切り欠き１２４ｅとを干渉させないようにすることができる。高い位置においては、略円形状の遊技領域１２５の幅が狭くなるからである。
【００７８】
（３）第三の実施形態：
図１７は、第三の実施形態にかかるパチンコ遊技機の要部を斜めから見て示している。同図において、払い出し装置２１９は第一の実施形態と同様に本体枠２１２に形成された収容部２１２ａの内部に埋設されている。前面通路２３０は、本体枠２１２の前面側に取り付けられている。払い出し装置２１９および前面通路２３０は、ガラス枠２１３が本体枠２１２に略密着するように同ガラス枠２１３を回動させたとき、同ガラス枠２１３に目隠しされる位置に配置されている。このように、払い出し装置２１９および前面通路２３０をともに本体枠２１２に取り付けてもよい。この場合も、ガラス枠２１３が本体枠２１２から離反するように同ガラス枠２１３を回動させたときには、払い出し装置２１９を前面側に開放することができるため、容易に払い出し装置２１９の点検やメンテナンス等を行うことができる。
【００７９】
また、払い出し装置２１９および前面通路２３０を本体枠２１２に取り付けておくことにより、払い出し装置２１９と前面通路２３０と本体枠２１２とが相対的に移動しないようにすることができる。従って、機構板を回動させない限り、ガラス枠２１３をいかなる位置に回動させても、タンクから前面通路２３０までの経路を接続しておくことができる。従って、いずれかの部位にて経路が分断され、遊技球が放出されることはない。
【００８０】
（４）第四の実施形態：
図１８は、第四の実施形態にかかるパチンコ遊技機を斜めから見て示している。同図において、パチンコ遊技機３１０は第三の実施形態とほぼ同様の構成とされているため、相違する点のみについて説明するものとする。前面通路３３０および払い出し装置３１９は、本体枠３１２におけるガラス枠３１３の回動自由端側に取り付けられている。このように、前面通路３３０および払い出し装置３１９を回動自由端側に取り付けることにより、ガラス枠３１３の少しの開放により前面通路３３０に手を加えることができるため、前面通路３３０および払い出し装置３１９のメンテナンス性が向上する。ただし、メンテナンス性よりも不正防止性を重視する場合には、第一〜三の実施形態のように回動固定端側に前面通路を取り付けておくことが望ましい。
【００８１】
（５）第五の実施形態：
図１９は、第五の実施形態にかかるパチンコ遊技機の払い出し装置を斜めから見て示している。同図において、遊技領域４２５が前面側に開放するようにガラス枠が回動されており、払い出し装置４１９は第一の実施形態と同様に形成された本体枠通路４１２ａに送出通路４１９ｆの下端４１９ｆ１が前面側に露出するように嵌め込まれている。この下端４１９ｆ１の側方にはオスコネクタ４１９ｅが設けられており、オスコネクタ４１９ｅも前面側に露出されている。一方、遊技盤４２４には同遊技盤４２４を貫通する配線穴４２４ａが形成されており、同配線穴４２４ａには配線４６０ａが挿通させられている。配線４６０ａの一端は遊技盤４２４の背面側に備えられた払い出し制御基板に接続されており、前面側の一端にはメスコネクタ４６０が取り付けられている。オスコネクタ４１９ｅとメスコネクタ４６０とは対応する形状となっており、両者を接続することが可能となっている。
【００８２】
オスコネクタ４１９ｅとメスコネクタ４６０とを接続することにより、払い出し制御基板から送られる電源や制御信号を払い出し装置４１９に伝達することができ、払い出し装置４１９に所望の動作を実行させることができる。払い出し装置４１９の前面側に露出する面を上方に延設することにより、略板状の固定面４１９ｈが設けられている。固定面４１９ｈは、払い出し装置４１９が本体枠通路４１２ａに入り込んだときに本体枠４１２に前面側から密着する。そして、固定面４１９ｈに形成された穴を貫通するようにネジ４６１を本体枠４１２に螺合させることにより、払い出し装置４１９を本体枠４１２に固定することができる。なお、ネジ４６１は本発明の固定機構に相当する。
【００８３】
このように、遊技領域４２５が前面側に開放するようにガラス枠を回動させたときに、ネジ４６１およびオスコネクタ４１９ｅが露出することにより、容易に払い出し装置４１９に対する固定と電気的な接続とを解除して払い出し装置４１９を本体枠４１２から取り外すことができる。すなわち、払い出し装置４１９を取り外すにあたって、予め本体枠４１２を外枠に対して回動させて、同本体枠４１２の背面側を開放させなくても済む。従って、払い出し装置４１９が故障した場合には、ガラス枠を回動させて、素早く払い出し装置４１９を取り外して、修理や交換を行うことができる。
【００８４】
（６）第六の実施形態：
図２０は、第五の実施形態にかかる遊技機としてのパチロットを斜めから見て示している。パチロット５１０は、スロットマシンにおけるメダルの代わりに遊技球を利用するものであり、例えば、パチンコ球の５個がメダル１個に相当して遊技を楽しむことができる。パチロット５１０は、スロットマシンと同様に回転するドラム５１４ａを備える遊技領域５１４を有している。このようなパチロット５１０においても遊技媒体として遊技球が使用されるため、遊技状態に応じた遊技球が払い出されることとなる。従って、パチロット５１０の前面側に前面通路５３０を形成することができ、それにより、パチロット５１０の背面側のスペースを広く確保することができる。
【００８５】
なお、図２１に示すように、パチロット５１０も外枠５１１と本体枠５１２とを有し、本体枠５１２の前面側にはドラム５１４ａが保持された遊技領域５１４が形成される。本体枠５１２の背面側には遊技球の供給を受けるタンク５１８が設けられている。本体枠５１２には前後に貫通する収容部５１２ａが形成されており、同収容部５１２ａに収容された払い出し装置５１９を介してタンク５１８に貯留された遊技球が本体枠５１２の前面側に案内される。本体枠５１２の前面側には操作レバーや操作ボタンが形成された窓枠５１３が取り付けられる。窓枠５１３は本体枠５１２に対して左側の辺を回動軸として回動可能に取り付けられる。窓枠５１３と本体枠５１２とが略平行となるように、窓枠５１３を回動させたとき、窓枠５１３の背面側と本体枠５１２の前面側とが略密着する。
【００８６】
このとき、窓枠５１３の略中央部に形成された矩形状の窓穴５１３ｄからはドラム５１４ａが保持された遊技領域５１４が視認可能となる。また、このとき窓枠５１３に取り付けられた前面通路５３０と払い出し装置５１９とが接続し、タンク５１８に貯留された遊技球を前面通路５３０に案内することができる。なお、窓枠５１３をガラス等の透明板によって塞ぐことによりパチロット５１０の遊技領域５１４を閉鎖させてもよいし、本実施形態のように遊技領域５１４を開放させておいてもよい。
【００８７】
（７）まとめ：
以上説明したように本発明によれば、パチンコ遊技機１０の本体枠１２の前面側に払い出し装置１９を配設することにより、払い出し装置１９をパチンコ遊技機１０の背面側に配置しないようにすることができる。これにより、パチンコ遊技機１０の背面側のスペースを広く確保することができ、より多くの機構部材をパチンコ遊技機１０の背面側に配設することが可能となる。また、ガラス枠１３を回動させることにより、払い出し装置１９を開放させることができるため、払い出し装置１９の点検やメンテナンス等を容易に行うことができる。
【図面の簡単な説明】
【００８８】
【図１】第一の実施形態にかかるパチンコ遊技機の斜視図である。
【図２】第一の実施形態にかかるパチンコ遊技機の背面図である。
【図３】第一の実施形態にかかる連絡通路の説明図である。
【図４】第一の実施形態にかかる払い出し装置の側面図である。
【図５】第一の実施形態にかかる払い出し装置の正面図である。
【図６】第一の実施形態にかかる収容部の斜視図である。
【図７】第一の実施形態にかかるパチンコ遊技機の斜視図である。
【図８】第一の実施形態にかかるガラス枠の背面図である。
【図９】第一の実施形態にかかるガラス枠の正面斜視図である。
【図１０】第一の実施形態にかかる前面通路の斜視図である。
【図１１】第一の実施形態にかかるガラス枠の正面斜視図である。
【図１２】第一の実施形態にかかるパチンコ遊技機の斜視図である。
【図１３】第二の実施形態にかかるパチンコ遊技機の要部斜視図である。
【図１４】第二の実施形態にかかる連絡通路の説明図である。
【図１５】第二の実施形態にかかる機構板通路の斜視図である。
【図１６】第二の実施形態にかかる収容部の水平断面図である。
【図１７】第三の実施形態にかかるパチンコ遊技機の要部斜視図である。
【図１８】第四の実施形態にかかるパチンコ遊技機の斜視図である。
【図１９】第五の実施形態にかかるパチンコ遊技機の要部斜視図である。
【図２０】第六の実施形態にかかるパチロットの斜視図である。
【図２１】第六の実施形態にかかるパチロットの分解斜視図である。
【符号の説明】
【００８９】
１０，１１０，２１０，３１０…パチンコ遊技機
５１０…パチロット
１１…外枠
１２，１１２，２１２，３１２，４１２，５１２…本体枠
１３，１１３，２１３，３１３，５１３…ガラス枠
１３ａ…ガラス
１４…上皿
１５…下皿
１６…発射ハンドル
１６ａ…発射機構
１７…機構板
１８…タンク
１９…払い出し装置
２０…ガイド部材
２４…遊技盤
２５…遊技領域
２５ｂ…液晶表示装置
２５ｃ…風車
２６…ガラス保持フレーム
２６ａ……ガラス保持レール
３０，１３０，２３０，３３０，４３０…前面通路
３２…入口
３３…出口
４０…案内通路
４３…オーバーフロー通路
Ａ…連絡通路
【図１】
2006095015.tif 000003
【図２】
2006095015.tif 000004
【図３】
2006095015.tif 000005
【図４】
2006095015.tif 000006
【図５】
2006095015.tif 000007
【図６】
2006095015.tif 000008
【図７】
2006095015.tif 000009
【図８】
2006095015.tif 000010
【図９】
2006095015.tif 000011
【図１０】
2006095015.tif 000012
【図１１】
2006095015.tif 000013
【図１２】
2006095015.tif 000014
【図１３】
2006095015.tif 000015
【図１４】
2006095015.tif 000016
【図１５】
2006095015.tif 000017
【図１６】
2006095015.tif 000018
【図１７】
2006095015.tif 000019
【図１８】
2006095015.tif 000020
【図１９】
2006095015.tif 000021
【図２０】
2006095015.tif 000022
【図２１】
2006095015.tif 000023